(57)【特許請求の範囲】
【請求項１】
１または複数の入力信号についての１または複数の波形データを記録可能な記録部と、当該記録部に対する前記波形データの記録を行う処理部と、前記各波形データに基づく各波形画像データを記憶可能な画像データメモリと、前記波形画像データを前記画像データメモリに書き込むことによって当該波形画像データに対応する前記入力信号の波形画像を表示部に表示させる表示制御部とを備えた波形記録装置であって、
前記処理部は、前記波形画像データの少なくとも一部を圧縮演算処理がされていない波形画像データである確認用波形画像データとして当該波形画像データの基となる前記波形データに関連付けて前記記録部に記録し、
前記表示制御部は、前記記録部に記録されている１つの前記確認用波形画像データが選択されたときに当該選択された確認用波形画像データに基づく確認用波形画像を前記表示部に表示させる波形記録装置。
【請求項２】
前記処理部は、前記表示部における１画面分の前記波形画像に対応する前記波形画像データを前記確認用波形画像データとして前記記録部に記録する請求項１記載の波形記録装置。
【請求項３】
前記表示制御部は、前記選択された確認用波形画像データに関連付けられている前記波形データに関連する文字情報を前記確認用波形画像と共に前記表示部に表示させる請求項１または２記載の波形記録装置。
【請求項４】
前記表示制御部は、前記確認用波形画像を表示させている状態において第１の操作がされたときに、当該確認用波形画像に対応する前記確認用波形画像データに関連付けられている前記波形データの記録直前または記録直後に記録された他の前記波形データに関連付けられている前記確認用波形画像データに基づく前記確認用波形画像を前記表示部に表示させる請求項１から３のいずれかに記載の波形記録装置。
【請求項５】
前記処理部は、前記確認用波形画像を表示させている状態において操作Ａがされたときに当該確認用波形画像に対応する前記確認用波形画像データに関連付けられている前記波形データを読み出し、
前記表示制御部は、前記読み出された波形データに基づく前記波形画像データを前記画像データメモリに書き込むことによって当該波形画像データに対応する前記入力信号についての波形画像を前記表示部に表示させる請求項１から４のいずれかに記載の波形記録装置。
【発明の詳細な説明】
【技術分野】
【０００１】
本発明は、入力した入力信号についての波形データを記録する波形記録装置に関するものである。
【背景技術】
【０００２】
この種の波形記録装置として、特許第２９９３２８９号公報に開示された電気信号測定器（以下、単に「測定器」ともいう）が知られている。この測定器は、アナログ／デジタル変換器、波形メモリ、圧縮演算手段、外部記憶装置、表示器、および測定器全体を制御するＣＰＵ等を備えて構成されている。この場合、外部記憶装置には、波形データの測定情報が記録（格納）されるヘッダ、アナログ／デジタル変換された波形データが記録される波形データメモリ、波形を簡易的に表示させるためのトレースデータが記録されるトレースメモリの各領域が規定されている。この測定器では、アナログ／デジタル変換器が、入力信号を波形データに変換して、波形メモリおよび外部記憶装置の波形データメモリに記録する。また、これと同時に、圧縮演算手段が、波形データを圧縮したトレースデータを外部記憶装置のトレースメモリに記録する。この場合、外部記憶装置から読み出す波形データを選択するためのディレクトリー表示において、その表示内の１つのファイルを選択したときに、そのファイルに記録されているトレースデータに基づく波形が簡易的に表示される。このため、この測定器では、そのファイルに記録されている波形が必要とする（所望の）波形であるか否を確認することが可能となっている。
【特許文献１】特許第２９９３２８９号公報（第２頁、第１図）
【発明の開示】
【発明が解決しようとする課題】
【０００３】
ところが、上記の測定器には、以下の問題点がある。すなわち、上記の測定器では、波形データを圧縮する専用の圧縮演算手段を設けて、その圧縮したデータ（トレースデータ）を用いて波形を簡易的に表示させている。このため、この測定器には、圧縮演算手段を備えている分、構成が複雑となってコストが高騰するという問題点が存在する。この場合、波形データの圧縮処理をＣＰＵに実行させる構成も考えられるが、測定を長時間に亘って行ったときには、波形データのデータ量が膨大となって、ＣＰＵに過大な負担が掛かると共に、圧縮の処理に多くの時間を要することとなり、好ましくない。したがって、この構成を採用するのは困難である。
【０００４】
本発明は、かかる問題点に鑑みてなされたものであり、構成を複雑化することなく記録されている波形データの中から所望の波形データを容易に選択させ得る波形記録装置を提供することを主目的とする。
【課題を解決するための手段】
【０００５】
上記目的を達成すべく請求項１記載の波形記録装置は、１または複数の入力信号についての１または複数の波形データを記録可能な記録部と、当該記録部に対する前記波形データの記録を行う処理部と、前記各波形データに基づく各波形画像データを記憶可能な画像データメモリと、前記波形画像データを前記画像データメモリに書き込むことによって当該波形画像データに対応する前記入力信号の波形画像を表示部に表示させる表示制御部とを備えた波形記録装置であって、前記処理部は、前記波形画像データの少なくとも一部を圧縮演算処理がされていない波形画像データである確認用波形画像データとして当該波形画像データの基となる前記波形データに関連付けて前記記録部に記録し、前記表示制御部は、前記記録部に記録されている１つの前記確認用波形画像データが選択されたときに当該選択された確認用波形画像データに基づく確認用波形画像を前記表示部に表示させる。
【０００６】
また、請求項２記載の波形記録装置は、請求項１記載の波形記録装置において、前記処理部は、前記表示部における１画面分の前記波形画像に対応する前記波形画像データを前記確認用波形画像データとして前記記録部に記録する。
【０００７】
また、請求項３記載の波形記録装置は、請求項１または２記載の波形記録装置において、前記表示制御部は、前記選択された確認用波形画像データに関連付けられている前記波形データに関連する文字情報を前記確認用波形画像と共に前記表示部に表示させる。
【０００８】
さらに、請求項４記載の波形記録装置は、請求項１から３のいずれかに記載の波形記録装置において、前記表示制御部は、前記確認用波形画像を表示させている状態において第１の操作がされたときに、当該確認用波形画像に対応する前記確認用波形画像データに関連付けられている前記波形データの記録直前または記録直後に記録された他の前記波形データに関連付けられている前記確認用波形画像データに基づく前記確認用波形画像を前記表示部に表示させる。
【０００９】
また、請求項５記載の波形記録装置は、請求項１から４のいずれかに記載の波形記録装置において、前記処理部は、前記確認用波形画像を表示させている状態において操作Ａがされたときに当該確認用波形画像に対応する前記確認用波形画像データに関連付けられている前記波形データを読み出し、前記表示制御部は、前記読み出された波形データに基づく前記波形画像データを前記画像データメモリに書き込むことによって当該波形画像データに対応する前記入力信号についての波形画像を前記表示部に表示させる。
【発明の効果】
【００１０】
請求項１記載の波形記録装置によれば、処理部が、波形画像データを圧縮演算処理がされていない波形画像データである確認用波形画像データとして、波形画像データの基となる波形データに関連付けて記録部に記録し、表示制御部が、記録部に記録されている１つの確認用波形画像データが選択されたときにその確認用波形画像データに基づく確認用波形画像を表示部に表示させることにより、波形データを圧縮したデータに基づいて確認用の波形を表示させている従来の測定器とは異なり、波形データを圧縮する専用の圧縮演算手段を設けることなく、この種の装置における表示制御部が通常行う処理によって生成された確認用波形画像データを用いて確認用波形画像を表示させることができる。したがって、この波形記録装置によれば、構成を複雑化することなく所望の波形データを容易に選択させることができる。
【００１１】
また、請求項２記載の波形記録装置によれば、処理部が、表示部における１画面分の波形画像に対応する波形画像データを確認用波形画像データとして記録部に記録することにより、波形画像データの全体を確認用波形画像データとして記録部に記録する構成と比較して、確認用波形画像データのデータサイズが小さい分、書き込みや読み出しを高速で行うことができる。
【００１２】
また、請求項３記載の波形記録装置によれば、表示制御部が、波形データに関連する文字情報を確認用波形画像と共に表示部に表示させることにより、選択した確認用波形画像に対応する確認用波形画像データに関連付けられている波形データが所望のものであるか否かをその文字情報によってさらに容易に確認することができる。
【００１３】
さらに、請求項４記載の波形記録装置によれば、表示制御部が、確認用波形画像を表示させている状態において第１の操作がされたときに、確認用波形画像に対応する確認用波形画像データに関連付けられている波形データの記録直前または記録直後に記録された他の波形データに関連付けられている確認用波形画像データに基づく確認用波形画像を表示部に表示させることにより、所望の波形データを選択する際の操作性を十分に向上させることができる。
【００１４】
また、請求項５記載の波形記録装置によれば、処理部が、確認用波形画像を表示させている状態において操作Ａがされたときに確認用波形画像に対応する確認用波形画像データに関連付けられている波形データを読み出し、表示制御部が、その波形データに基づく波形画像データを画像データメモリに書き込むことによって入力信号についての波形画像を表示部に表示させることにより、選択した確認用波形画像（その確認用波形画像対応する確認用波形画像データに関連付けられている波形データ）が所望のものであることを確認した時点で即座にその波形データに基づく入力信号の全体の波形画像を表示させることができるため、この種の使用形態における利便性を十分に向上させることができる。
【発明を実施するための最良の形態】
【００１５】
以下、本発明に係る波形記録装置の最良の形態について、添付図面を参照して説明する。
【００１６】
最初に、波形記録装置１の構成について、図面を参照して説明する。図１に示す波形記録装置１は、本発明に係る波形記録装置の一例であって、同図および図２に示すように、信号処理部１１、記録部１２、ＶＲＡＭ１３、表示部１４、操作部１５および制御部１６を備えて構成されている。
【００１７】
信号処理部１１は、１または複数の入力信号Ｓ１（一例として電圧信号）を入力可能に構成され、制御部１６の制御に従い、各入力信号Ｓ１を信号処理（サンプリング処理）して入力信号Ｓ１についての波形データＤ１を出力する。記録部１２は、制御部１６の制御に従い、信号処理部１１から出力された１または複数の波形データＤ１や、後述する確認用波形画像データＤ３を記録する。ＶＲＡＭ１３は、本発明における画像データメモリの一例であって、制御部１６によって書き込まれる画像データ（波形データＤ１に基づく波形画像データＤ２や、確認用波形画像データＤ３であって、一例として、ビットマップデータ）を一時的に記憶する。
【００１８】
表示部１４は、一例として、ＬＣＤ（Liquid Crystal Display）で構成されて、ＶＲＡＭ１３に書き込まれた画像データに基づく各種画像（図１に示す波形画像Ｇ１、図３に示す波形選択画像Ｇ２、および図４〜図６に示す確認用波形画像Ｇ３）を表示する。操作部１５は、図１に示すように、電源スイッチ２１、モード切替えキー２２、記録開始キー２３、記録終了キー２４、カーソルキー２５、前進キー２６、後退キー２７および決定キー２８などの各種のスイッチやキーを備えて構成され、これらが操作されたときに操作信号Ｓ２を出力する。
【００１９】
制御部１６は、操作部１５から出力される操作信号Ｓ２に従って波形記録装置１を構成する各部を制御する。また、制御部１６は、本発明における処理部および表示制御部として機能する。具体的には、制御部１６は、信号処理部１１から出力された波形データＤ１に基づく波形画像データＤ２をＶＲＡＭ１３に書き込むことによって入力信号Ｓ１の波形を示す波形画像Ｇ１を表示部１４に表示させると共に、記録部１２に対する波形データＤ１の記録を行う。この場合、制御部１６は、入力信号Ｓ１（波形データＤ１）の記録を行う度に、表示部１４における１画面分の波形画像Ｇ１に対応する波形画像データＤ２、つまり１画面分の波形画像Ｇ１の表示に必要な波形画像データＤ２を確認用波形画像データＤ３として、その波形画像データＤ２の基となる波形データＤ１に関連付けて記録部１２に記録する。また、制御部１６は、記録部１２に記録されている１または複数の確認用波形画像データＤ３のうちの１つが選択されたときに、選択された確認用波形画像データＤ３をＶＲＡＭ１３に書き込むことにより、その確認用波形画像データＤ３に基づく確認用波形画像Ｇ３を表示部１４に表示させる。さらに、制御部１６は、確認用波形画像Ｇ３の表示中において操作部１５の決定キー２８が操作された（本発明における操作Ａがされた）ときには、その確認用波形画像Ｇ３に対応する確認用波形画像データＤ３に関連付けられている波形データＤ１を記録部１２から読み出すと共に、その波形データＤ１に基づく波形画像データＤ２をＶＲＡＭ１３に書き込むことによって波形画像Ｇ１を表示部１４に表示させる。
【００２０】
次に、波形記録装置１の使用方法の一例、およびその際の波形記録装置１の動作について、図面を参照して説明する。
【００２１】
まず、入力信号Ｓ１を記録する際には、操作部１５のモード切替えキー２２を操作して、波形記録装置１を記録モードに切り替えた後に、操作部１５の記録開始キー２３を操作する。この際に、制御部１６が、操作部１５から出力された操作信号Ｓ２に従って信号処理部１１を制御する。この場合、信号処理部１１が、制御部１６の制御に従って入力信号Ｓ１を信号処理して生成した波形データＤ１を出力する。次いで、制御部１６は、波形データＤ１に基づく波形画像データＤ２をＶＲＡＭ１３に書き込むことにより、図１に示すように、入力信号Ｓ１の波形を示す波形画像Ｇ１を表示部１４に表示させる。また、制御部１６は、信号処理部１１から出力された波形データＤ１を記録部１２に記録する。
【００２２】
続いて、入力信号Ｓ１の記録を終了する際には、操作部１５の記録終了キー２４を操作する。これに応じて、制御部１６は、信号処理部１１を制御して信号処理を停止させると共に、記録部１２に対する波形データＤ１の記録を終了する。また、制御部１６は、表示部１４の１画面分の波形画像Ｇ１に対応する波形画像データＤ２、一例として、記録終了キー２４が操作される直前（つまり最後）に表示されていた１画面分の波形画像Ｇ１に対応する波形画像データＤ２を確認用波形画像データＤ３として、記録している波形データＤ１に関連付けて記録部１２に記録する。次いで、次の他の入力信号Ｓ１を記録する際には、上記したように、記録開始キー２３および記録終了キー２４を操作する。この際に、制御部１６は、記録部１２に対する波形データＤ１および確認用波形画像データＤ３の記録を行う。
【００２３】
次に、記録部１２に記録した複数の波形データＤ１のうちの所望の１つに基づく波形画像Ｇ１を表示させる際には、操作部１５のモード切替えキー２２を操作して、波形記録装置１を再生モードに切り替える。この際に、制御部１６は、画像データをＶＲＡＭ１３に書き込むことにより、図３に示すように、記録部１２に記録されている各波形データＤ１および各確認用波形画像データＤ３のファイル名（データ名）や記録日時（生成時刻）などの情報を含む波形選択画像Ｇ２を表示部１４に表示させる。
【００２４】
続いて、波形選択画像Ｇ２内に表示されている確認用波形画像データＤ３のうちの１つを、カーソルキー２５および決定キー２８を用いて選択する。この際に、制御部１６は、選択された確認用波形画像データＤ３を記録部１２から読み出し、次いで、読み出した確認用波形画像データＤ３をＶＲＡＭ１３に書き込む。この場合、制御部１６は、選択された確認用波形画像データＤ３に関連付けられている波形データＤ１に関連する文字による情報（本発明における文字情報であって以下「文字情報Ｉｃ」ともいう）を表示させるためのデータを確認用波形画像データＤ３と共にＶＲＡＭ１３に書き込む。これにより、図４に示すように、確認用波形画像Ｇ３が文字情報Ｉｃと共に表示部１４に表示される。なお、波形データＤ１に関連する文字情報としては、一例として、波形データＤ１の記録・表示条件（同図では、波形データＤ１に対応する確認用波形画像Ｇ３を表示したときの時間軸レンジと、波形データＤ１の記録長とを表示している。）や、波形データＤ１の平均値などが含まれる。
【００２５】
ここで、この波形記録装置１では、１つの確認用波形画像データＤ３を選択したときに、対応する確認用波形画像Ｇ３が表示される。したがって、その選択した確認用波形画像データＤ３に関連付けられている波形データＤ１が所望のものであるか否かを、確認用波形画像Ｇ３の形状の特徴などから容易に確認することが可能となっている。また、文字情報Ｉｃが確認用波形画像Ｇ３と共に表示されるため、その波形データＤ１が所望のものであるか否かをさらに容易に確認することが可能となっている。この場合、この波形記録装置１では、この種の装置における制御部が通常行う処理（波形画像データＤ２の生成処理）によって生成された波形画像データＤ２の一部を確認用波形画像データＤ３として記録部１２に記録し、その確認用波形画像データＤ３に基づく確認用波形画像Ｇ３を表示している。このため、この波形記録装置１では、波形データを圧縮したデータ（トレースデータ）に基づく波形を表示させる従来の測定器とは異なり、波形データを圧縮する専用の圧縮演算手段を設ける必要がないため、その分、簡易な構成となっている。また、波形画像データＤ２の一部（１画面分）を確認用波形画像データＤ３としているため、確認用波形画像データＤ３のデータサイズが小さい分、書き込みや読み出しを高速で行うことが可能となっている。
【００２６】
一方、表示された確認用波形画像Ｇ３を見た結果、その確認用波形画像Ｇ３が所望のもの（つまり、所望の波形データＤ１に関連付けられている確認用波形画像データＤ３に基づく確認用波形画像Ｇ３）ではないときには、所定のキーを操作して波形選択画像Ｇ２を表示させ、上記と同様にして他の波形データＤ１を選択する。また、この波形記録装置１では、確認用波形画像Ｇ３が表示されている状態において前進キー２６または後退キー２７を操作（本発明における第１の操作）することで、表示中の確認用波形画像Ｇ３に代えて、他の確認用波形画像Ｇ３を表示させることが可能となっている。
【００２７】
具体的には、確認用波形画像Ｇ３が表示されている状態において、例えば前進キー２６を操作したときには、制御部１６が、表示中の確認用波形画像Ｇ３に対応する確認用波形画像データＤ３に関連付けられている波形データＤ１の記録直後に記録された他の波形データＤ１に関連付けられている確認用波形画像データＤ３を記録部１２から読み出す。続いて、制御部１６は、読み出した確認用波形画像データＤ３、およびその確認用波形画像データＤ３に関連付けられている波形データＤ１に関連する文字情報Ｉｃを表示させるためのデータをＶＲＡＭ１３に書き込む。これにより、図５に示すように、他の波形データＤ１に関連付けられている確認用波形画像データＤ３に基づく確認用波形画像Ｇ３、およびその波形データＤ１に関連する文字情報Ｉｃが表示部１４に表示される。一方、確認用波形画像Ｇ３が表示されている状態において後退キー２７を操作したときには、制御部１６が、表示中の確認用波形画像Ｇ３に対応する確認用波形画像データＤ３に関連付けられている波形データＤ１の記録直前に記録された他の波形データＤ１に関連付けられている確認用波形画像データＤ３を記録部１２から読み出して、その確認用波形画像データＤ３および文字情報Ｉｃの表示用のデータをＶＲＡＭ１３に書き込む。これにより、図６に示すように、他の波形データＤ１に関連付けられている確認用波形画像データＤ３に基づく確認用波形画像Ｇ３および文字情報Ｉｃが表示部１４に表示される。
【００２８】
次いで、例えば、表示中の確認用波形画像Ｇ３が所望のものであるときには、操作部１５の決定キー２８を操作する（本発明における操作Ａ）。この際に、制御部１６は、その表示中の確認用波形画像Ｇ３に対応する確認用波形画像データＤ３に関連付けられている波形データＤ１を記録部１２から読み出す。続いて、制御部１６は、その波形データＤ１に基づく波形画像データＤ２をＶＲＡＭ１３に書き込むことにより、図１に示すように、入力信号Ｓ１の全体の波形画像Ｇ１を表示部１４に表示させる。この場合、この波形記録装置１では、上記したように、選択した確認用波形画像Ｇ３が所望のものであることを確認した時点で決定キー２８を操作することで、所望の入力信号Ｓ１の全体の波形画像Ｇ１を即座に表示させることが可能となっている。このため、この波形記録装置１では、このような使用形態における利便性を十分に向上させることが可能となっている。
【００２９】
このように、この波形記録装置１では、制御部１６が、波形画像データＤ２の一部を確認用波形画像データＤ３として、波形画像データＤ２の基となる波形データＤ１に関連付けて記録部１２に記録すると共に、記録部１２に記録されている１つの確認用波形画像データＤ３が選択されたときにその確認用波形画像データＤ３に基づく確認用波形画像Ｇ３を表示部１４に表示させている。このため、波形データを圧縮したデータに基づいて確認用の波形を表示させている従来の測定器とは異なり、波形データを圧縮する専用の圧縮演算手段を設けることなく、この種の装置における制御部が通常行う処理によって生成された確認用波形画像データＤ３を用いて確認用波形画像Ｇ３を表示させることができる。したがって、この波形記録装置１によれば、構成を複雑化することなく所望の波形データＤ１を容易に選択させることができる。
【００３０】
また、この波形記録装置１では、制御部１６が、表示部１４における１画面分の波形画像Ｇ１に対応する波形画像データＤ２を確認用波形画像データＤ３として記録部１２に記録している。したがって、この波形記録装置１によれば、波形画像データＤ２の全体を確認用波形画像データＤ３として記録部１２に記録する構成と比較して、確認用波形画像データＤ３のデータサイズが小さい分、書き込みや読み出しを高速で行うことができる。
【００３１】
また、この波形記録装置１では、制御部１６が、波形データＤ１に関連する文字情報Ｉｃを確認用波形画像Ｇ３と共に表示部１４に表示させている。したがって、この波形記録装置１によれば、選択した波形データＤ１が所望のものであるか否かを文字情報Ｉｃによってさらに容易に確認することができる。
【００３２】
また、この波形記録装置１では、制御部１６が、確認用波形画像Ｇ３を表示させている状態において前進キー２６が操作がされたときに表示中の確認用波形画像Ｇ３に対応する確認用波形画像データＤ３に関連付けられている波形データＤ１の記録直後に記録された他の波形データＤ１に関連付けられている確認用波形画像データＤ３に基づく確認用波形画像Ｇ３を表示部１４に表示させ、後退キー２７が操作がされたときに表示中の確認用波形画像Ｇ３に対応する確認用波形画像データＤ３に関連付けられている波形データＤ１の記録直前に記録された他の波形データＤ１に関連付けられている確認用波形画像データＤ３に基づく確認用波形画像Ｇ３を表示部１４に表示させている。したがって、この波形記録装置１によれば、所望の波形データＤ１を選択する際の操作性を十分に向上させることができる。
【００３３】
また、この波形記録装置１では、制御部１６が、確認用波形画像Ｇ３を表示させている状態において決定キー２８が操作されたときにその確認用波形画像Ｇ３に対応する確認用波形画像データＤ３に関連付けられている波形データＤ１に基づく波形画像データＤ２をＶＲＡＭ１３に書き込むことによって入力信号Ｓ１の全体の波形画像Ｇ１を表示部１４に表示させている。したがって、この波形記録装置１によれば、選択した波形データＤ１が所望のものであることを確認した時点で即座にその波形データＤ１に基づく入力信号Ｓ１の全体の波形画像Ｇ１を表示させることができるため、この種の使用形態における利便性を十分に向上させることができる。
【００３４】
なお、本発明は、上記の構成に限定されない。例えば、最後に表示されていた１画面分の波形画像Ｇ１に対応する波形画像データＤ２（本発明における、波形画像データの少なくとも一部）を確認用波形画像データＤ３として記録する例について上記したが、最初（波形画像Ｇ１の表示開始直後）に表示されていた１画面分の波形画像Ｇ１に対応する波形画像データＤ２を確認用波形画像データＤ３として記録する構成を採用することもできる。また、複数画面分の波形画像Ｇ１に対応する波形画像データＤ２を確認用波形画像データＤ３として記録する構成を採用することもできるし、波形画像データＤ２の全体を確認用波形画像データＤ３として記録する構成を採用することもできる。また、入力信号Ｓ１としての電圧信号を入力してその波形データＤ１を記録する例について上記したが、これに限定されず電流や温度などの各種の物理量の時間変化を示す入力信号Ｓ１を入力して記録することができる。また、上記した操作部１５の構成は一例であって、各種の構成を採用することができる。例えば、表示部１４に操作キーの画像を表示させて、その画像を操作することで各種の処理を実行させる構成を採用することもできる。さらに、表示部１４を備えた波形記録装置１を例に挙げて説明したが、外部装置としての表示装置（表示部）に対して上記の波形画像Ｇ１、波形選択画像Ｇ２および確認用波形画像Ｇ３等を表示させる構成を採用することもできる。
【図面の簡単な説明】
【００３５】
【図１】波形記録装置１の正面図である。
【図２】波形記録装置１の構成を示すブロック図である。
【図３】波形選択画像Ｇ２の表示画面図である。
【図４】確認用波形画像Ｇ３および文字情報Ｉｃの表示画面図である。
【図５】他の確認用波形画像Ｇ３および文字情報Ｉｃの表示画面図である。
【図６】さらに他の確認用波形画像Ｇ３および文字情報Ｉｃの表示画面図である。
【符号の説明】
【００３６】
１  波形記録装置
１２  記録部
１３  ＶＲＡＭ
１４  表示部
１５  操作部
１６  制御部
２６  前進キー
２７  後退キー
２８  決定キー
Ｄ１  波形データ
Ｄ２  画像データ
Ｄ３  確認用波形画像データ
Ｇ１  波形画像
Ｇ３  確認用波形画像
Ｉｃ  文字情報
Ｓ１  入力信号
【図１】
0005362257.tif 000002
【図２】
0005362257.tif 000003
【図３】
0005362257.tif 000004
【図４】
0005362257.tif 000005
【図５】
0005362257.tif 000006
【図６】
0005362257.tif 000007